(57)【要約】      （修正有）【課題】クラブヘッド測定器の提供。【解決手段】本考案のクラブヘッド測定器は、円周回転調整可能な固定装置４と、分度器を固定し且つ分度器に上下角度移動調整を行なわせることのできる調整測定装置２と、基準エッジを具えた補助測定装置３が、個別に水平平面を具えたベースに固定されてなる。調整測定装置に固定した分度器を、クラブヘッドのフェイスの角度と同じ角度に調整することで、符合する測定角度で測定を行なえ、別に固定装置の左右回転調整により、クラブヘッド底面をベースに水平に当接させて、クラブヘッドの構造角度を測定することができる。【選択図】図１
0003104583.tif 000002
【実用新案登録請求の範囲】
【請求項１】
クラブヘッドの構造角度を測定するのに用いられるクラブヘッド測定器であり、
ベース（１）、調整測定装置（２）、補助測定装置（３）、固定装置（４）を具え、
該ベース（１）は水平平面を提供し、
該調整測定装置（２）は、分度器（６）を固定するのに供され、並びに分度器（６）の測定角度の上下角度移動調整を行ない、スクリュー（２１）で調整ブロック（２０３）、（２０４）に接続されて調整ブロック（２０３）、（２０４）を制御し、該調整ブロック（２０３）、（２０４）の前端に枢設ブロック（２２）が設けられ、回転軸（２４）に位置決めブロック（２３）が可動式に取り付けられ、
該補助測定装置（３）は調整測定装置（２）の固定ブロック（２０）に固定され、直接固定ネジ（３１）で調整測定装置（２）の長板塊（３０）の測定板（３２）に固定され、  該固定装置（４）は、被測定クラブヘッドを固定し、並びに左右に円周回転調整を行なえ、その固定体（４１）が連接体（４０）とスクリュー（４００）で接続されて回転可能とされ、嵌合体（４２）の上下調整移動に供され、
調整測定装置（２）により分度器（６）がクラブヘッドのフェイス角度と同じ角度に調整され、測定を行なうことで誤差を減らせるよう形成されたことを特徴とする、クラブヘッド測定器。
【請求項２】
請求項１記載のクラブヘッド測定器において、位置決めブロック（２３）が分度器（６）を固定するための位置決め溝（２３１）と位置決め溝（２３１）に組み合わされた固定ネジ（２３２）を具えたことを特徴とする、クラブヘッド測定器。
【請求項３】
請求項１記載のクラブヘッド測定器において、測定板（３２）が固定ネジ（３１）で長板塊（３０）の前端に固定され、その側辺が基準辺（３２１）とされることを特徴とする、クラブヘッド測定器。
【考案の詳細な説明】
【技術分野】
【０００１】
本考案は一種のクラブヘッド測定器に関する。
【背景技術】
【０００２】
伝統的なゴルフクラブのクラブヘッドの各種測定方法は、いずれも手でクラブヘッドを握持し、経験及び目視方式により角度を判断し、このため正確度上、制御しにくく、施工操作上労働力と時間を浪費し、コストが高くつき、且つクラブヘッドの正確度はその打撃効果に影響を与えて使用者に不都合をもたらす。
【考案の開示】
【考案が解決しようとする課題】
【０００３】
本考案は上述の伝統的なクラブヘッド測定方法及び現在の測定器の発生する問題及び欠点に対して、異なる構造アセンブリを利用し、クラブヘッドの各種角度を測定でき、並びに速やかに角度数字を示すことができ、伝統的な測定方式の正確度の問題を解決することを目的としている。
【課題を解決するための手段】
【０００４】
請求項１の考案は、クラブヘッドの構造角度を測定するのに用いられるクラブヘッド測定器であり、
ベース（１）、調整測定装置（２）、補助測定装置（３）、固定装置（４）を具え、
該ベース（１）は水平平面を提供し、
該調整測定装置（２）は、分度器（６）を固定するのに供され、並びに分度器（６）の測定角度の上下角度移動調整を行ない、スクリュー（２１）で調整ブロック（２０３）、（２０４）に接続されて調整ブロック（２０３）、（２０４）を制御し、該調整ブロック（２０３）、（２０４）の前端に枢設ブロック（２２）が設けられ、回転軸（２４）に位置決めブロック（２３）が可動式に取り付けられ、
該補助測定装置（３）は調整測定装置（２）の固定ブロック（２０）に固定され、直接固定ネジ（３１）で調整測定装置（２）の長板塊（３０）の測定板（３２）に固定され、  該固定装置（４）は、被測定クラブヘッドを固定し、並びに左右に円周回転調整を行なえ、その固定体（４１）が連接体（４０）とスクリュー（４００）で接続されて回転可能とされ、嵌合体（４２）の上下調整移動に供され、
調整測定装置（２）により分度器（６）がクラブヘッドのフェイス角度と同じ角度に調整され、測定を行なうことで誤差を減らせるよう形成されたことを特徴とする、クラブヘッド測定器としている。
請求項２の考案は、請求項１記載のクラブヘッド測定器において、位置決めブロック（２３）が分度器（６）を固定するための位置決め溝（２３１）と位置決め溝（２３１）に組み合わされた固定ネジ（２３２）を具えたことを特徴とする、クラブヘッド測定器としている。
請求項３の考案は、請求項１記載のクラブヘッド測定器において、測定板（３２）が固定ネジ（３１）で長板塊（３０）の前端に固定され、その側辺が基準辺（３２１）とされることを特徴とする、クラブヘッド測定器としている。
【考案の効果】
【０００５】
本考案の特徴、長所は以下のとおりである。
１．調整測定装置と補助測定装置を組合せた測定により、クラブヘッドのフェイス角度、ソール角度、重心角及び弾跳角度等の角度を測定できる。
２．クラブヘッドを固定する固定装置は、スクリューを中心とし、左右に円周運動可能であるため、クラブヘッドの底面とベース平面を水平となしてから角度測定を行なうことができ、正確な数値を獲得できる。
３．本考案の測定は分度器の測定角度を、被測定クラブヘッドの角度と符合するよう調整して、角度が符合した測定を行なえ、誤差を減らすことができる。
【考案を実施するための最良の形態】
【０００６】
本考案のクラブヘッド測定器は、円周回転調整可能な固定装置と、分度器を固定し且つ分度器に上下角度移動調整を行なわせることのできる調整測定装置と、基準エッジを具えた補助測定装置が、個別に水平平面を具えたベースに固定されてなる。調整測定装置に固定した分度器を、クラブヘッドのフェイスの角度と同じ角度に調整することで、符合する測定角度で測定を行なえ、別に固定装置の左右回転調整により、クラブヘッド底面をベースに水平に当接させて、クラブヘッドの構造角度を測定することができる。
【実施例１】
【０００７】
図１に示されるように、本考案はベース（１）、調整測定装置（２）、補助測定装置（３）、固定装置（４）及び移動装置（５）を具えている。
【０００８】
該ベース（１）は一側に溝（１０）が設けられ、溝（１０）の一端に二つのネジ孔（１００）が設けられ、調整測定装置（２）の固定ブロック（２０）が嵌め込まれ、溝（１０）の前端に目盛り（１１）が設けられ、ベース（１）の別側に凹口（１２）及びその傍らの収容エリア（１３）が設けられ、固定装置（４）と移動装置（５）の螺子止めに供される（図２）。
【０００９】
該調整測定装置（２）（図２、３参照）は、その底端の固定ブロック（２０）の一側より立板（２００）が延伸され、この立板（２００）の一側に上、下板塊（２０１）、（２０２）が螺子止めされ、該上、下板塊（２０１）、（２０２）の中央に調整ブロック（２０３）、（２０４）が嵌め込まれ、並びに上、下板塊（２０１）、（２０２）と調整ブロック（２０３）、（２０４）にネジ孔（２０６）、（２０７）、（２０８）が設けられ、それにプルハンドル（２１０）を具えたスクリュー（２１）がねじ込まれ、順、逆時計回りに回転し並びに調整ブロック（２０３）、（２０４）を駆動して上昇或いは下降させる。立板（２００）の別側に枢設ブロック（２２）が嵌合され、該枢設ブロック（２２）の前端に嵌め溝（２２０）と穿孔（２２３）を具えた端部（２２４）が設けられ、嵌め溝（２２０）と位置決めブロック（２３）の嵌合ブロック（２３０）が嵌合され、並びに回転軸（２４）が端部（２２４）の穿孔（２２３）に挿入されて支点を形成し、一端に位置決め溝（２３１）を具え且つ固定ネジ（２３２）で固定された位置決めブロック（２３）を上向きに回転移動させ、該枢設ブロック（２２）の後端より板塊（２２１）が延伸され、板塊（２２１）にネジ孔（２２２）が設けられ、調整ブロック（２０３）の上下昇降に供され、ウッド或いはアイアンの分度器（６）を位置決めしてウッド（７）或いはアイアン（８）のフェイス角度を測定できる。また、固定ブロック（２０）はベース（１）の溝（１０）に固定され、固定ブロック（２０）の一端にネジ孔（２０５）が設けられて補助測定装置（３）の螺子止めに供される。
【００１０】
該補助測定装置（３）は、長板塊（３０）に形成された長形溝（３００）により、前後に調整されてから固定ネジ（３１）で固定ブロック（２０）のネジ孔（２０５）に位置決めされ、その前端上方に位置決め棒（３２０）で固定された測定板（３２）が設けられ、該測定板（３２）の側辺が基準辺（３２１）を具えている。
【００１１】
該固定装置（４）（図４）は、連接体（４０）に設けられたネジ孔（４０１）にねじ込まれたスクリュー（４００）により固定体（４１）と連結されて一体とされ、この固定体（４１）の内部に嵌め溝（４１０）が設けられ、嵌合体（４２）の後端に凸設されて嵌め溝（４１０）と同じ形態の嵌合ブロック（４２０）と嵌合され、嵌合体（４２）の前端中央にＶ形溝（４２１）が設けられ、Ｖ形溝（４２１）の両側にボルト（４２５）で末端に係止溝（４２３）を具えた係止ブロック（４２２）が枢設され、嵌合体（４２）の側辺末端にネジ孔（４２４）が設けられ、ネジ（４３４）でロッド固定座（４３）が位置決めされ、該ロッド固定座（４３）の両端に垂直方向に凸辺（４３０）、（４３１）が延設され、この二つの凸辺（４３０）、（４３１）の端辺に反対方向に対応する掛け孔（４３２）、係止部（４３３）が設けられ、ウッド（７）のヘッドが掛け孔（４３２）に掛けられ、並びにもう一つの対応する係止部（４３３）により係止され、ウッド（７）のシャフト（７０）の上下移動が防止される。また、連接体（４０）の別側に調整座（４４）を具えた凸座（４４０）が螺子止めされ、該調整座（４４）の上方が４分の１円弧辺（４４１）を呈し、該円弧辺（４４１）の辺縁に目盛り（４４２）が設けられ、また調整座（４４）に円弧辺（４４１）と同円弧の円弧溝（４４３）が設けられ、調整座（４４）のスクリュー（４４４）により固定装置（４）が円弧溝（４４３）に沿って移動可能とされて、ウッド（７）或いはアイアン（８）のシャフト（７０）、（８０）を測定したいソール角度位置に挟持、固定するのに供され、凸座（４４０）の別側に移動装置（５）が螺子止めされる。
【００１２】
該移動装置（５）の側辺に目盛り（５０）と、移動装置（５）の円弧と同じ円弧の円弧溝（５１）が設けられ、スクリュー（５２）で調整座（４４）の凸座（４４０）を測定ソール角度まで回転移動させて位置決めできる。
【００１３】
以上の各部品が組み合わされ、円周回転調整可能な固定装置（４）と分度器（６）を固定し且つ分度器（６）に上下角度移動させられる調整測定装置（２）及び基準エッジを具えた補助測定装置（３）が個別に水平平面を具えたベース（１）に固定され、調整測定装置（２）に固定された分度器（６）を、クラブヘッドのフェイス角度と同じ角度に調整して測定角度に符合させて測定を行なうことができ、これにより測定誤差を減らして正確度を高めることができる。また、固定装置（４）の左右回転調整により、ウッド（７）或いはアイアン（８）の底面をベース（１）に水平に当接させて、ヘッドの構造角度の測定を正確に行なうことができる。
【００１４】
本考案の測定方式については、図５、６に示されるＬＩＥＬＩＮＥ（ソール角度）の測定ステップを参照されたい。先ず、ウッド（７）のシャフト（７０）を嵌合体（４２）のＶ形溝（４２１）内に置き、係止ブロック（４２２）で位置決めし、さらに補助測定装置（３）の長板塊（３０）の測定板（３２）の辺縁をウッド（７）のフェイス（７１）の横溝（７２）に当接させ、符合しない時は、シャフト（７０）を嵌合体（４２）で円弧溝（４４３）に沿って下向きに移動させ、測定板（３２）の辺縁を横溝（７２）を噛合させ、円弧辺（４４１）の目盛りにより仰角データを得る。
【００１５】
図７はウッド（７）のソール角度（ＳＯＬＥ  ＡＮＧＬＥ）測定動作を示す。まず、ウッド（７）のヘッド（７０）を嵌合体（４２）に固定し、該嵌合体（４２）は回転軸心を具え並びにスクリュー（４００）で位置決め制御されて回転動作可能で、それに固定されたウッド（７）を駆動し、ウッド（７）底面を水平面に当接させ、さらに補助測定装置（３）に位置決めされた分度器（６）の外側（６１）を垂直方向に回してフェイス（７１）に当接させ、直接分度器（６）により測定データを得る。
【００１６】
さらに図８に示されるのはウッド（７）（或いはアイアン（８）。図９に示されるとおり。）のフェイス角度測定動作であり、ウッド（７）（或いはアイアン（８））を嵌合体（４２）でベース（１）に固定し、さらに調整測定装置（２）の枢設ブロック（２２）に接続された分度器（６）をウッド（７）のフェイス（７１）の横溝（７２）（或いはアイアン（８）のフェイス（８１）の横溝（８２））の角度と同じ角度に調整し、フェイス７１（８１）に当接させて、分度器（６）によりフェイス角度を測定する。
【００１７】
図１０は本考案のクラブヘッドの重心角度（ＧＲＡＶＩＴＹ  ＡＮＧＬＥ）測定操作を示す。まず、アイアン（８）（或いはウッド（７）。図１１に示されるとおり。）をロッド固定座（４３）の二つの凸辺（４３０）、（４３１）の反対方向の掛け孔（４３２）、係止部（４３３）により位置決めし、シャフト（８０）を水平に固定し、アイアン（８）のヘッドを自然に下垂させさらに調整測定装置（２）の枢設ブロック（２２）に接合された分度器（６）を回転させて垂直方向に位置決めし、測定板内面（６０）をアイアン（８）のフェイス（８１）に当接させ、分度器（６）によりフェイス（８１）の重心角度の数値を獲得する。
【００１８】
最後に、図１２に本考案のプログレッション（ＰＲＧＲＥＳＳＩＯＮ）測定動作によると、ウッド（７）のシャフト中心をベース（１）の基準線（１４）にアライメントさせた後、補助測定装置（３）の長板塊（３０）を直接フェイス（７１）の端面（７３）に当接させ、並びにベース（１）の目盛り（１１）によりプログレッションの数値を取得する。
【図面の簡単な説明】
【００１９】
【図１】本考案の組合せ外観図である。
【図２】本考案の調整測定装置の立体分解図である。
【図３】本考案の調整測定装置の組合せ立体図である。
【図４】本考案の固定装置、移動装置の立体分解図である。
【図５】本考案のソール角度測定表示図の一である。
【図６】本考案のソール角度測定表示図の二である。
【図７】本考案のウッド弾跳角度測定表示図である。
【図８】本考案のウッドフェイス角度補助測定表示図である。
【図９】本考案のアイアンフェイス角度補助測定表示図である。
【図１０】本考案のアイアン重心角度測定表示図である。
【図１１】本考案のウッド重心角度測定表示図である。
【図１２】本考案のプログレッション測定表示図である。
【符号の説明】
【００２０】
１  ベース          １０  溝                  １１  目盛り
１２  凹口          １３  収容エリア          １４  基準線
２  調整測定装置    ２０  固定ブロック        ２００  立板
２０１、２０２  上、下板塊      ２０３、２０４  調整ブロック
２０５  ネジ孔      ２１  スクリュー          ２１０  プルハンドル
２２  枢設ブロック  ２２０  嵌め溝            ２２１  板塊
２２２  ネジ孔      ２３  位置決めブロック    ２３０  嵌合ブロック
２３１  位置決め溝  ２３２  固定ネジ          ２４  回転軸
３  補助測定装置    ３０  長板塊              ３００  長形溝
３１  固定ネジ      ３２  測定板              ３２０  位置決めロッド
３２１  基準辺      ４  固定装置              ４０  連接体
４００  スクリュー  ４０１  ネジ孔            ４１  固定体
４１０  嵌め溝      ４２  嵌合体              ４２０  嵌合ブロック
４２１  Ｖ形溝      ４２２  係止ブロック      ４２３  係止溝
４２４  ネジ孔      ４２５  ボルト            ４３  ロッド固定座
４３０  凸辺        ４３１  凸辺              ４３２  掛け孔
４３３  係止部      ４４  調整座              ４４０  凸座
４４１  円弧辺      ４４２  目盛り            ４４３  円弧溝
４４４  スクリュー  ５  移動装置              ５０  目盛り
５１  円弧溝        ５２  スクリュー          ６  分度器
６０  内面          ７  ウッド                ７０  シャフト
７１  フェイス      ７２  横溝                ７３  端面
８  アイアン        ８０  シャフト            ８１  フェイス
【図１】
0003104583.tif 000003
【図２】
0003104583.tif 000004
【図３】
0003104583.tif 000005
【図４】
0003104583.tif 000006
【図５】
0003104583.tif 000007
【図６】
0003104583.tif 000008
【図７】
0003104583.tif 000009
【図８】
0003104583.tif 000010
【図９】
0003104583.tif 000011
【図１０】
0003104583.tif 000012
【図１１】
0003104583.tif 000013
【図１２】
0003104583.tif 000014